(57)【特許請求の範囲】
【請求項１】
各移動局の移動局内線番号と当該移動局が存する呼出エリアの番号である呼出エリア番号とを対応づけた情報を位置情報として格納し、前記位置情報のうち、前記移動局内線番号を任意の順番に送信出力し、前記各移動局の位置情報を要求する信号を受信すると、前記位置情報のうち、前記移動局内線番号を送信出力した順番で当該各移動局内線番号に各々対応する前記呼出エリア番号を、前記移動局内線番号を付加することなく送信出力する移動電話機システムと、
一旦、前記移動電話機システムから前記移動局内線番号を受信すると、受信した順番に前記移動局内線番号を格納しておき、その後、位置情報を要求する信号を送信出力して、位置情報のうち、前記移動局内線番号が付加されない前記呼出エリア番号を受信すると、受信した順番に前記格納した移動局内線番号に対応づけて格納して、前記各移動局と当該移動局の呼出エリア番号とを対応づけた情報である位置情報を再生して、表示出力する位置表示端末とを有することを特徴とする位置表示システム。
【発明の詳細な説明】
【０００１】
【発明の属する技術分野】
本発明は、構内無線電話として用いられる移動局の位置情報を監視する位置表示システムに係り、特に移動局の位置情報をリアルタイムに表示できる位置表示システムに関する。
【０００２】
【従来の技術】
移動電話機システムでは、周波数帯域を有効に利用するためにセルラと呼ばれる方式が採用されている。セルラ方式では、サービス地域は、セルと呼ばれる単位に分割され、各セルごとに一台づつ配置された基地局が当該セル内に存する移動局と通信を行うようになっている。
【０００３】
また、各基地局を管理する制御局を含む主装置は、各移動局がどの基地局のカバーするセルに存するかを表す呼出エリア番号の情報を管理し、特定の移動局を発呼する際には、当該呼出エリア番号に示される基地局を介して、当該移動局を発呼するようにしている。
以下、移動局内線番号と、呼出エリア番号とを対応づけたものを「位置情報」と称することとする。
【０００４】
一方、主装置が管理している各位置情報を遠隔から閲覧できるようにすることで、各種サービスを提供したり、携帯者の挙動を監視したりすることができる。
【０００５】
従来の位置表示システムについて、図１を参照しつつ説明する。図１は、位置表示システムの一般的な構成ブロック図である。
【０００６】
位置表示システムは、一般的に、複数の移動電話機システム１と、移動電話機システム１に対応して設けられている分配器２と、複数の位置表示端末３と、分配器２に付属し、位置表示端末の数に対応して設けられている第１のモデム４と、位置表示端末３に付属し、移動電話機システム１の数に対応して設けられている第２のモデム５とから基本的に構成されている。
また、移動電話機システム１は、図１に示すように、複数の移動局（ＰＳ）１１と、基地局（ＢＳ）１２と、主装置１３とから主に構成されており、各々に特定の番号（システムＩＤ番号）が付与されている。
【０００７】
以下、各部を具体的に説明する。
移動電話機システム１は、一般的な移動電話機システムであり、その移動局１１と、基地局１２との動作は、広く知られているものであるので、説明を省略する。
主装置１３は、基地局１２を管理して、位置情報を保持して管理するとともに、後に説明するフォーマットに従って、移動局１１の各々の位置情報を定期的に対応する分配器２に出力するものである。
【０００８】
また、主装置１３は、交換器を備え、一般の内線電話機や、ＰＢＸを介して外線に接続されている。
【０００９】
分配器２は、移動電話機システム１の主装置１３が出力する位置情報を付属する第１のモデム４の各々に分配して出力するものである。
【００１０】
位置表示端末３は、後に説明するように、第２のモデム５を介して受信した位置情報を表示出力するものである。
第１のモデム４は、各々対応する位置表示端末３に付属する第２のモデム５に対して、分配器２から入力される位置情報を変調して送信出力するものである。
【００１１】
第２のモデム５は、各々対応する第１のモデムから変調された位置情報を受信して復調し、位置表示端末３に出力するものである。
【００１２】
つまり、位置表示システムは、一般的に、移動電話機システム１が保持する各移動局１１の位置情報を第１のモデム４と第２のモデム５とを介して位置表示端末３が受信し、位置表示端末３が当該各移動局１１の位置情報を表示出力するようになっている。
【００１３】
ここで、従来の移動電話機システム１の主装置１３は、図７に示すように、複数の移動局１１に対応する位置情報を連続させ、２００バイトごとの単位（伝文）に区切って出力しているようになっている。図７は、伝文の一例を表す説明図である。
【００１４】
具体的に１台の移動局１１あたりの位置情報を移動局内線番号５バイトと呼出エリア番号３バイトとの合計８バイトで表すこととすると、例えば移動局１１が１０００台あれば全体で８０００バイトとなり、１０バイトのヘッダ情報を付加すれば、結局８０１０バイトを送信出力することとなる。
【００１５】
図８に示すように、当該８０１０バイトの情報を２００バイトの伝文を単位として伝送すると、全移動局の位置情報を送信するには約４０個の伝文（第１の伝文〜第４０の伝文）を送信出力する必要がある。また、第１のモデム４と第２のモデム５との間の通信速度を９６００ｂｐｓとし、位置表示端末３が、伝文を取りこぼすことがないように主装置１４が各伝文を５００ミリ秒の間隔をおいて送信出力することとすると、全部で４０個の伝文を位置表示端末３が受信するまでに約２８秒が経過することになる。図８は、位置情報の送信のシーケンスを表す説明図である。
【００１６】
【発明が解決しようとする課題】
このように、上記従来の位置表示システムでは、各移動局の位置情報を表示するまでに約２８秒かかり、リアルタイムに表示することができないという問題点があった。
また、位置表示端末が、上記約２８秒の間、受信の処理を行うため、他の処理に支障があるという問題点があった。
【００１７】
本発明は上記実情に鑑みて為されたもので、各移動局の位置情報をリアルタイムに表示することができ、位置表示端末の受信の処理の負荷を軽減できる位置表示システムを提供することを目的とする。
【００１８】
【課題を解決するための手段】
上記従来例の問題点を解決するための請求項１記載の発明は、位置表示システムにおいて、各移動局の移動局内線番号と当該移動局が存する呼出エリアの番号である呼出エリア番号とを対応づけた情報を位置情報として格納し、前記位置情報のうち、前記移動局内線番号を任意の順番に送信出力し、前記各移動局の位置情報を要求する信号を受信すると、前記位置情報のうち、前記移動局内線番号を送信出力した順番で当該各移動局内線番号に各々対応する前記呼出エリア番号を、前記移動局内線番号を付加することなく送信出力する移動電話機システムと、一旦、前記移動電話機システムから前記移動局内線番号を受信すると、受信した順番に前記移動局内線番号を格納しておき、その後、位置情報を要求する信号を送信出力して、位置情報のうち、前記移動局内線番号が付加されない前記呼出エリア番号を受信すると、受信した順番に前記格納した移動局内線番号に対応づけて格納して、前記各移動局と当該移動局の呼出エリア番号とを対応づけた情報である位置情報を再生して、表示出力する位置表示端末とを有することを特徴としており、位置表示端末の処理の負荷を軽減し、かつ位置情報をリアルタイムに表示することができる。
【００１９】
【発明の実施の形態】
本発明の実施の形態について図面を参照しながら説明する。
本発明の実施の形態に係る位置表示システム（本システム）は、各移動局の移動局内線番号と呼出エリア番号とを対応づけて位置情報として格納している移動電話機システムが、各移動局の移動局内線番号を任意の順番で送信出力し、位置表示端末が上記移動局内線番号を上記順番に格納し、その後、移動電話機システムが呼出エリア番号を移動局内線番号を送信出力した順番で送信出力して、位置表示端末が先に受信した移動局内線番号に対応づけて、呼出エリア番号を受信した順番で格納することで、位置情報を再生して表示出力するものであり、各移動局内線番号を一々付加することなく、位置情報を送受信でき、伝文の数を少なくして送信にかかる時間を短縮して、各移動局の位置情報をリアルタイムに表示するとともに、位置表示端末の受信の処理の負荷を軽減するものである。
【００２０】
本システムは、図１に示した従来の位置表示システムと同様のものであるが、移動電話機システム１の主装置１３の処理と、位置表示端末３の処理とが従来と異なっている。
尚、以下の説明において、特定のヘッダに各移動局１１の移動局内線番号を任意の順番で並べたものを付加した情報を「工注情報」と称する。
【００２１】
すなわち、本システムの主装置１３は、位置表示端末３から工注情報リード要求信号を受信して、自己が位置情報を管理している各移動局１１の移動局内線番号を含む工注情報を位置表示端末３に送信出力するものである。
【００２２】
ここで送信される工注情報は、具体的には、図２に示すようなものである。図２は、本システムの主装置１３が出力する工注情報の一例を表す説明図である。以下、この工注情報に含まれる移動局内線番号の順番を「工注情報の順番」と称する。
【００２３】
また、本システムの主装置１３は、移動局内線番号を送信出力した後に、位置表示端末３から位置情報リード要求信号を受信して、先に送信出力した工注情報の順番に、当該移動局内線番号の各々に対応した呼出エリア番号を送信出力するものである。
【００２４】
ここで送信される呼出エリア番号の情報は、図３に示すように、ヘッダに続いて、複数の呼出エリア番号の情報が上記の工注情報の順番で並べられたものが付加されているものである。以下、この情報を「呼出エリア番号情報」と称する。図３は、本システムの主装置１３が出力する呼出エリア番号情報の一例を表す説明図である。
【００２５】
本システムの位置表示端末３は、移動局内線番号と呼出エリア番号とを対応づけて格納する位置情報格納テーブルを備え、その電源投入時、又は指示（工注情報リード画面選択）に応じて、特定の移動電話機システム１の主装置１３に対して、図４に示すような工注情報リード要求信号を送信出力するものである。図４は、工注情報リード要求信号の一例を表す説明図である。
【００２６】
尚、複数ある移動電話機システム１のうち、どの移動電話機システム１から工注情報を受信するかを特定するには、図４に示す工注情報リード要求信号のシステムＩＤに当該移動電話機システム１のシステムＩＤ番号を格納して送信出力するようにすればよい。
また、本システムの位置表示端末３は、移動局内線番号を受信すると、当該受信した順番で位置情報格納テーブルに格納するものである。
【００２７】
さらに、本システムの位置表示端末３は、図５に示すような位置情報リード要求信号を特定の移動電話機システム１の主装置１３に送信出力して、呼出エリア番号情報を定期的に受信し、呼出エリア番号を受信した順番で、位置情報格納テーブルに移動局内線番号に対応づけて格納するものである。図５は、位置情報リード要求信号の一例を表す説明図である。
【００２８】
尚、分配器２と、位置表示端末３と、第１のモデムと、第２のモデム５と、移動局１１と、基地局１２とは、従来のものと同様のものであるので、説明を省略する。
【００２９】
次に、本システムの動作について図６を参照しつつ説明する。図６は、本システムの動作のシーケンスの一例を表す説明図である。
本システムの位置表示端末３が電源の投入時に、特定の移動電話機システム１に工注情報リード要求信号を送信出力すると、当該特定の移動電話機システム１の主装置１３が工注情報リード要求信号の入力を受けて、工注情報を位置表示端末３に送信出力する。
【００３０】
そして、位置表示端末３が工注情報の入力を受けて、当該工注情報に示された移動局内線番号をその順番に位置情報格納テーブルに格納する。
やがて、図６に示すように、位置表示端末３が位置情報リード要求信号を当該移動電話機システム１の主装置１３に送信出力する（Ｓ１）。
【００３１】
すると、主装置１３がＡＣＫ信号（Acknowledge ）を位置表示端末３に出力し（Ｓ２）、その後、呼出エリア番号情報の伝文を送信出力する（Ｓ３）。
ここで、送信出力される伝文には、３バイトの呼出エリア番号しか含まれていないため、１０００台の移動局の呼出エリア番号を伝送するための伝文の数は、ヘッダ情報を含めても高々１７個の伝文で十分である。
【００３２】
そして、位置表示端末３が呼出エリア番号情報の伝文を受信して、受信した順番に移動局内線番号に対応づけて、位置情報格納テーブルに格納する。このようにして、位置情報格納テーブルに位置情報が再生されるようになり、位置表示端末３が当該位置情報を表示出力するようになる。
【００３３】
つまり、上記従来の通信条件と同じく、第１のモデム４と第２のモデム５との間の通信速度を９６００ｂｐｓとし、位置表示端末３が、伝文を取りこぼすことがないように主装置１４が各伝文を５００ミリ秒の間隔をおいて送信出力することとすると、伝送時間は、約１２秒となる。
【００３４】
そして、１７個の伝文を送信し終えると、１分待機して、再度呼出エリア番号情報の伝文を送信出力するようになる（Ｓ４）。
【００３５】
本システムによれば、各移動局の位置情報を受信する処理を行う時間を約１２秒に短縮でき、位置表示端末３の処理の負荷を軽減し、かつ位置情報をリアルタイムに表示することができる効果がある。
【００３６】
【発明の効果】
請求項１記載の発明によれば、移動電話機システムが予め位置情報のうち移動局内線番号を任意の順番で送信出力し、その後、呼出エリア番号のみを移動局内線番号を送信出力した順番で、当該各移動局内線番号に各々対応する前記呼出エリア番号を、前記移動局内線番号を付加することなく送信出力して、位置表示端末が、一旦、前記移動電話機システムから前記移動局内線番号を受信すると、受信した順番に前記移動局内線番号を格納しておき、その後、位置情報のうち、前記移動局内線番号が付加されない前記呼出エリア番号を受信すると、受信した順番に前記格納した移動局内線番号に対応づけて格納して、移動局内線番号に対応した呼出エリア番号を受信して位置情報を再生し、表示出力する位置表示システムとしているので、位置表示端末が一旦移動局内線番号を受信すれば、その後は呼出エリア番号のみを受信するだけで位置情報を表示出力することができ、位置情報の送受信にかかる時間を短縮して、位置表示端末の処理の負荷を軽減し、かつ位置情報をリアルタイムに表示することができる効果がある。
【図面の簡単な説明】
【図１】位置表示システムの一般的な構成ブロック図である。
【図２】本システムの主装置１３が出力する工注情報の一例を表す説明図である。
【図３】本システムの主装置１３が出力する呼出エリア番号情報の一例を表す説明図である。
【図４】工注情報リード要求信号の一例を表す説明図である。
【図５】位置情報リード要求信号の一例を表す説明図である。
【図６】本システムの動作のシーケンスの一例を表す説明図である。
【図７】伝文の一例を表す説明図である。
【図８】位置情報の送信のシーケンスを表す説明図である。
【符号の説明】
１…移動電話機システム、  ２…分配器、  ３…位置表示端末、  ４…第１のモデム、  ５…第２のモデム、  １１…移動局、  １２…基地局、  １３…主装置
【図１】
0003897885.tif 000002
【図２】
0003897885.tif 000003
【図３】
0003897885.tif 000004
【図４】
0003897885.tif 000005
【図５】
0003897885.tif 000006
【図６】
0003897885.tif 000007
【図７】
0003897885.tif 000008
【図８】
0003897885.tif 000009